(57)【要約】【課題】  本発明は、ＩＣタグをより有効に活用することにより、リモコンによる煩わしい操作を不要とすることが可能なデータ再生システムを提供する。【解決手段】  データ記憶媒体１０に記録された再生用データの再生開始位置と、その再生用データに関連する内容を表示した表示物Ｈに貼付したＩＣタグＴの双方に同一のタグＩＤを記録しておく。この表示物ＨをＩＣリーダ２０に近付けると、ＩＣリーダ２０がＩＣタグＴからタグＩＤを読み取り、データ再生処理手段３０が、このタグＩＤを利用してデータ記憶媒体１０から対応する再生用データを抽出し、表示手段４０および音声出力手段５０から出力する。【選択図】  図１
2008129698.tif 000002
【特許請求の範囲】
【請求項１】
タグＩＤを記録したＩＣタグが付されるとともに、所定の内容をその表面に表示するか、またはその形状として表現した表現物と、
前記表現物により表現された内容と関連する再生用データを、前記ＩＣタグに記録されたタグＩＤと対応付けて記録した再生用データ記憶媒体と、
前記表現物が接近した際に、前記表現物に付されたＩＣタグからタグＩＤを読み取るＩＣリーダと、
前記読み取ったタグＩＤに対応する再生位置を認識し、当該位置から再生用データを抽出して再生処理を行うデータ再生処理手段と、
前記再生処理された再生用データを出力する出力手段と、
を有することを特徴とするデータ再生システム。
【発明の詳細な説明】
【技術分野】
【０００１】
本発明は、所定の内容をその表面に表示するか、またはその形状として表現した表現物を利用して、その表現物に対応するデータの再生を行うための技術に関する。
【背景技術】
【０００２】
近年、プラスチック等の基材にコイルパターンを形成し、このコイルと容量素子とにより共振回路を形成して一定周波数の電波を受信し送信することができるように構成された非接触ＩＣタグが急速に普及してきており、様々な用途に利用されている（特許文献１参照）。この非接触ＩＣタグには、各個体を特定するためのＩＤが記録されており、非接触データキャリアやＲＦ−ＩＤとも呼ばれる。
【特許文献１】特開２００５−１０８１８０号公報
【発明の開示】
【発明が解決しようとする課題】
【０００３】
しかしながら、従来の非接触ＩＣタグ（以下、単に「ＩＣタグ」という）の利用手法では、ＩＣタグを十分に有効活用できていないという問題がある。特に、近年小型化して、様々な媒体に添付することができるＩＣタグの活用が十分なものとはなっていない。一方、ＣＤ再生装置、ＤＶＤ再生装置等のデータ再生装置では、リモコンによる操作が主流となっているが、この操作が煩わしいという問題がある。
【０００４】
そこで、本発明は、ＩＣタグをより有効に活用することにより、リモコンによる煩わしい操作を不要とすることが可能なデータ再生システムを提供することを課題とする。
【課題を解決するための手段】
【０００５】
上記課題を解決するため、本発明では、タグＩＤを記録したＩＣタグが付されるとともに、所定の内容をその表面に表示するか、またはその形状として表現した表現物と、前記表現物により表現された内容と関連する再生用データを、前記ＩＣタグに記録されたタグＩＤと対応付けて記録した再生用データ記憶媒体と、前記表現物が接近した際に、前記表現物に付されたＩＣタグからタグＩＤを読み取るＩＣリーダと、前記読み取ったタグＩＤに対応する再生位置を認識し、当該位置から再生用データを抽出して再生処理を行うデータ再生処理手段と、前記再生処理された再生用データを出力する出力手段を有するデータ再生システムを提供する。
【発明の効果】
【０００６】
本発明によれば、表現物に付されたＩＣタグのタグＩＤと、再生用データ記憶媒体における再生用データの再生位置を対応付けて登録しておくようにしたので、表現物をＩＣリーダに近付けることにより、その表現物の内容と関連する再生用データが再生されることとなり、リモコンによる煩わしい操作を不要にすることができ、直感的に見たいコンテンツをすぐに再生できるという効果を奏する。
【発明を実施するための最良の形態】
【０００７】
以下、本発明の好適な実施形態について、図面を参照して詳細に説明する。なお、本実施形態においては、表現物として所定の内容をその表面に表示した表示物を用いた場合を例にとって説明する。
（ＩＤの書込み）
本発明では、ＩＣタグに書き込まれたＩＤ（以下、「タグＩＤ」と呼ぶ。）と、ＣＤ、ＤＶＤ等のデータ記憶媒体に書き込まれたタグＩＤとの対応付けを行っておく必要がある。このため、事前にデータ記憶媒体に対して、タグＩＤの書込みを行う。例えば、データ記憶媒体１０として、世界各国の風景や商品カタログなど、複数のコンテンツが内蔵されたＣＤを採用する場合、各コンテンツの記録先頭位置にそれぞれ異なるタグＩＤを記録しておく。
【０００８】
一方、ＩＣタグＴには、データ記憶媒体１０に登録したタグＩＤを記録する処理を行う。そして、このＩＣタグＴを表示物Ｈに貼付する作業を行う。ここで、表示物について説明しておく。表示物Ｈは、表面に所定の情報を表示した媒体であり、紙やフィルム等の表面に印刷したり、凹凸を形成することにより、作成されるものである。表示物Ｈとしては、例えば、写真等を用いることができる。この表示物Ｈの裏面には、タグＩＤを記録したＩＣタグＴが貼付されている。上記のように、データ記憶媒体１０として、世界各国の風景や商品カタログなど、複数のコンテンツが内蔵されたＣＤを採用する場合、表示物Ｈの表面には、風景や商品の写真を印刷しておくことになる。
【０００９】
（データ再生システム）
次に、本発明に係るデータ再生システムのシステム構成について説明する。図１は、本発明に係るデータ再生システムの構成を示す機能ブロック図である。図１において、１０はデータ記憶媒体、２０はＩＣリーダ、３０はデータ再生処理手段、４０は表示手段、５０は音声出力手段、Ｈは表示物、ＴはＩＣタグである。
【００１０】
図１において、データ記憶媒体１０は、再生用データをタグＩＤと対応付けて記録した記憶媒体であり、ＣＤ、ＤＶＤ等のディスク型記録媒体で実現可能である。ＩＣリーダ２０は、ＩＣタグＴから非接触方式でタグＩＤを読み取る機能を有しており、汎用のＩＣリーダで実現される。ＩＣリーダ２０は、データ再生システムの筐体内部に設置され、設置部分の筐体外側には、当該位置が表示物をかざす位置である旨が示されている。
【００１１】
データ再生処理手段３０は、ＩＣリーダ２０から受け取ったタグＩＤを用いて、データ記憶媒体１０を検索し、対応する再生用データを抽出して、再生処理を行い、静止画像および動画像は表示手段４０に、音声は音声出力手段５０に渡す機能を有している。データ再生処理手段３０は、その基本的機能は、汎用のＣＤ、ＤＶＤ等のディスク再生装置のものと同じであるが、取得したタグＩＤに基づく処理を実行する点が従来のものと異なっている。
【００１２】
表示手段４０および音声出力手段５０は、再生用データを出力する出力手段としての機能を有する。すなわち、表示手段４０は、再生用データが静止画像、動画像等の表示用データである場合の出力手段であり、音声出力手段５０は、再生用データが音声データである場合の出力手段である。表示手段４０は、データ再生処理手段３０から受け取った静止画像または動画像を表示する機能を有している。表示手段４０としては、液晶ディスプレイ等を用いることができる。音声出力手段５０は、データ再生処理手段３０から受け取った音声を出力する機能を有している。音声出力手段５０としては、スピーカを用いることができる。
【００１３】
次に、データ再生システムの処理動作について具体的な利用例に従って説明する。本システムは、さまざまなコンテンツを記録した記憶媒体に対して利用することができる。例えば、データ記憶媒体１０として、世界各国の風景や商品カタログなど、複数のコンテンツが内蔵されたＣＤを採用する場合について説明する。この場合、表示物Ｈの表面には、それぞれ世界各国の風景や商品が表示されている。利用者が、自分が見たい内容が表示された表示物Ｈを持ち、ＩＣリーダ２０に近付ける。具体的には、データ再生システムの筐体外部に示された、表示物をかざす位置である旨が示されている部分に表示物をかざすことになる。すると、表示物Ｈの裏面に貼付されたＩＣタグＴもＩＣリーダ２０に近付くので、ＩＣリーダ２０は、ＩＣタグＴに記録されたタグＩＤを読み取る。
【００１４】
ＩＣリーダ２０がＩＣタグＴからタグＩＤを取得すると、データ再生処理手段３０は、そのタグＩＤでデータ記憶媒体１０を検索し、対応する再生用データを抽出する。
【００１５】
データ再生処理手段３０が抽出した再生用データは、表示手段４０および音声出力手段５０から出力される。例えば、再生用データが静止画、動画である場合は、ディスプレイ等の表示手段４０が表示する処理を行う。再生用データが音声である場合は、スピーカ等の音声出力手段５０から出力する処理を行うことになる。再生用データが音声付きの静止画、動画である場合は、静止画、動画は表示手段４０により表示され、同時に音声は音声出力手段５０から出力される。
【００１６】
表示手段４０および音声出力手段５０により出力される再生用データは、表示部Ｈの表面に表示された内容に関連するものであるので、利用者は、画面にメニュー等を表示させてリモコンで選択する等の煩わしい作業をする必要なく、自分が再生したい内容が表示された表示部Ｈをデータ再生システムに近付けるだけで、データ記憶媒体１０に記録されている多数の再生用データのうち、自分が再生したいものを再生させることが可能となる。特に、表示物Ｈの表面に表された内容と、最初に抽出される素材データである静止画を同一のものにしておけば、紙媒体である写真から画像がディスプレイ画面に移動するようなイメージが与えられ、より臨場感のある表現がなされることになる。
【００１７】
以上、本発明の好適な実施形態について説明したが、本発明は上記実施形態に限定されず、種々の変形が可能である。例えば、上記実施形態では、再生用データとして世界各国の風景や商品カタログなどをデータ記憶媒体１０に記憶しておく場合について説明したが、映画ＤＶＤに適用し、データ記憶媒体１０としてのＤＶＤに、再生用データとして映画の各チャプターを記録しておくようにしても良い。この場合、表示物Ｈの表面には、その各チャプターが一目でわかるような表示を施しておく必要がある。
【００１８】
また、再生用データとして、表示物Ｈに表示された写真またはイラストに関する質問を表現したデータ、およびその正解、不正解を示すデータを記録しておき、質問を表示した表示物Ｈ、回答を表示した表示物Ｈを用いて学習するという教育教材に適用することも可能である。
【００１９】
また、上記のように映画ＤＶＤに適用する場合には、表示物Ｈを利用して再生中断等の各種の命令を実行させるようにすることも可能である。この場合には、表示物Ｈに再生中断を表現した内容を表示しておくとともに、この表示物Ｈの裏面に貼付されたＩＣタグＴに記録されたタグＩＤと再生中断命令の対応付けを、データ再生処理手段３０が管理可能なデータ再生システム内の記憶領域に登録しておく必要がある。これにより、データ再生処理手段３０は読み取ったタグＩＤに従って実行すべき命令を認識し、対応する命令を実行する。
【００２０】
また、上記実施形態では、表現物として所定の内容をその表面に表示した表示物を用いた場合を例にとって説明したが、カード形状の表示物に代えて、キャラクタグッヅやぬいぐるみ等を表現物として用いても良い。
【図面の簡単な説明】
【００２１】
【図１】本発明に係るデータ再生システムの構成を示す機能ブロック図である。
【符号の説明】
【００２２】
１０・・・データ記憶媒体
２０・・・ＩＣリーダ
３０・・・データ再生処理手段
４０・・・表示手段
５０・・・音声出力手段
【図１】
2008129698.tif 000003